(57)【特許請求の範囲】
【請求項１】
上方のパネル部と下方の支持部とが境界線で二つ折り可能となった一枚のボードからなる告知ボードであって、支持部はその両サイドに折曲げ形成される脚部を有しているとともに、その脚部以外のところに折返し領域が区画されており、その折返し領域は、折り返すことにより境界線で広げた状態のボードにおけるパネル部に跨がって貼着して固定可能なように構成されていることを特徴とする告知ボード。
【請求項２】
折返し領域の裏側に両面粘着テープを貼着したことを特徴とする請求項１に記載の告知ボード。
【請求項３】
支持部の下辺に間隔をおいて２本のスリットを形成したことを特徴とする請求項１又は２に記載の告知ボード。
【発明の詳細な説明】
【０００１】
【発明の属する技術分野】
本発明は、スーパー、ドラッグストア、大型量販店等の小売店の店頭において商品を並べる際に、その並べた商品の背後に立てて用いられる告知ボードに関するものである。
【０００２】
【従来の技術】
従来より、この種の小売店の店頭では、販促のために、例えば棚の最上段で商品を並べた背後にその商品を宣伝した告知ボードを立てる場合がある。このような告知ボードとしては、通常、商品内容を説明したパネル部分の下辺に脚部分を取り付けたものが使用されている。すなわち、前に並んだ商品の上方に商品内容を説明したパネル部分が位置するように脚部により高くしている。
【０００３】
【発明が解決しようとする課題】
従来の技術で述べたような告知ボードは、前記したように、通常はパネル部と２つの脚部が別々になっているため、組み立てるまでは嵩張らないので好都合ではあるが、別部品となったものを扱う点で不便がある。すなわち、輸送時にはそれら別部材の管理が必要であり、また現場では３つの部品を組み立てるのに手間がかかるという問題点がある。
【０００４】
本発明は、上記のような問題点に鑑みてなされたものであり、その目的とするところは、取扱いが簡便であり、コストも低く、さらには２通りの使い方もできる告知ボードを提供することにある。
【０００５】
【課題を解決するための手段】
請求項１に記載の発明である告知ボードは、上方のパネル部と下方の支持部とが境界線で二つ折り可能となった一枚のボードからなる告知ボードであって、支持部はその両サイドに折曲げ形成される脚部を有しているとともに、その脚部以外のところに折返し領域が区画されており、その折返し領域は、折り返すことにより境界線で広げた状態のボードにおけるパネル部に跨がって貼着して固定可能なように構成されていることを特徴としている。
【０００６】
請求項２に記載の発明である告知ボードは、請求項１に記載の告知ボードにおいて、折返し領域の裏側に両面粘着テープを貼着したことを特徴としている。
【０００７】
請求項３に記載の発明である告知ボードは、請求項１又は２に記載の告知ボードにおいて、支持部の下辺に間隔をおいて２本のスリットを形成したことを特徴としている。
【０００８】
【発明の実施の形態】
以下に、図面を参照して本発明の実施の形態を説明する。
【０００９】
図１は本発明に係る告知ボードの一例を示す平面図であり、図示の告知ボードは、略同じ大きさの上方のパネル部１と下方の支持部２とからなり、これらは境界線αで二つ折り可能になっている。通常は、全体が所望の色に着色されており、パネル部１の表側に宣伝の絵柄が印刷されている。そして、運搬時には二つ折りしてコンパクトな状態にするものである。
【００１０】
告知ボードにおける下方の支持部２は、その両サイドに折曲げ形成される脚部を有している。図示の例では、両サイドそれぞれに折曲げ領域３とその横に係止領域４とが区画されており、この折曲げ領域３を係止領域４で固定することにより脚部が形成される。具体的には、折曲げ領域３は縦方向の折曲げ線ａと上部水平の切断線ｂ及び下方斜めの切断線ｃにより区画され、係止領域４は縦方向の折曲げ線ｄとその両端を繋ぐ曲線状の切断線ｅにより区画されており、係止領域４は折曲げ領域３の側辺にある切欠５と噛み合う形状に形成されている。
【００１１】
また、支持部２には、水平方向の中程、すなわち２つの係止領域４の間に折返し領域６が形成されている。この折返し領域６は、上部水平の折曲げ線ｆとその両端を繋ぐＵ字型の切断線ｇにより区画されており、折曲げ線ｆで折り返した時にパネル部１にかかるように設計されている。また、図示の例では、この折返し領域６の裏側に両面粘着テープ７が貼着されている。この折返し領域６は、パネル部１と支持部２を広げた時に、両方に跨がって固定することでボード全体の垂直性を出すことができる。
【００１２】
また、支持部２には、その下辺に間隔をおいて２本のスリット８が形成されている。図示の例では、折曲げ領域３を区画する下方斜めの切断線ｃに少しだけかかるようにしてそれぞれのスリット８が形成されている。
【００１３】
上記の構成からなる告知ボードは、図２と図３に示したような２通りの使い方ができる。ここで、図２は裏側から見た説明図であり、図３は表側から見た説明図である。
【００１４】
図２は自立させる使い方を示している。まず、二つ折りした状態の告知ボードを境界線αで平らに広げ、両面粘着テープ７の離型紙を剥がした状態の折返し領域６を折曲げ線ｆで矢印Ａの方に、すなわち裏側に折り返し、パネル部１に跨がって固定することでパネル部と支持部２とを展開した状態にする。次いで、折曲げ領域３を折曲げ線ａで矢印Ｂの方に折り曲げるとともに、係止領域４を折曲げ線ｄで矢印Ｃの方に折り曲げて、折曲げ領域３の側辺にある切欠５と係止領域４とを噛み合わせることで固定する。これにより、折曲げ領域３で脚部が形成されるので、支持部２の下辺とこの両側の脚部とにより、告知ボードを自立させることができる。
【００１５】
図３は差し込んで立てる使い方を示している。まず、二つ折りした告知ボードを前記したのと同様に平らに広げて展開した状態にする。そして、この使い方の場合は、そのままの状態で支持部２のスリット８の部分を段ボール箱の縁に差し込んで固定する。すなわち、支持部２の下辺における中程とその両側が互いに反対側となるようにして段ボール箱の縁に差し込む。この場合、段ボール箱は梱包状態からジッパー部により上半分を除去したもので、中の商品が見える状態であり、通常は複数段積み重ねて店頭に置かれているので、最上段の段ボール箱の縁にこの告知ボードを差し込んで固定する。
【００１６】
以上、本発明を実施の形態に基づいて詳細に説明してきたが、本発明による告知ボードは、上記実施の形態に何ら限定されるものではなく、本発明の趣旨を逸脱しない範囲において種々の変更が可能であることは言うまでもない。
【００１７】
【発明の効果】
請求項１に記載の発明である告知ボードは、上方のパネル部と下方の支持部とが境界線で二つ折り可能となった一枚のボードからなる告知ボードであって、支持部はその両サイドに折曲げ形成される脚部を有しているとともに、その脚部以外のところに折返し領域が区画されており、その折返し領域は、折り返すことにより境界線で広げた状態のボードにおけるパネル部に跨がって貼着して固定可能なように構成されていることを特徴としているので、運搬時は二つ折りできて取扱いが簡便であり、１パーツであることからコストが低くて済む上に、現場ではワンタッチでボードの垂直性を保持した立てる状態への組立てを行うことができる。
【００１８】
請求項２に記載の発明である告知ボードは、請求項１に記載の告知ボードにおいて、折返し領域の裏側に両面粘着テープを貼着したことを特徴としているので、上記効果に加えて、現場での組立てをさらに簡便にできるという効果を奏するものである。
【００１９】
請求項３に記載の発明である告知ボードは、請求項１又は２に記載の告知ボードにおいて、支持部の下辺に間隔をおいて２本のスリットを形成したことを特徴としているので、上記効果に加えて、スリットを段ボール箱の縁に差し込んで固定するという別の使い方ができ、２ウェイ機能を有するという効果を奏するものである。
【図面の簡単な説明】
【図１】本発明に係る告知ボードの一例を示す平面図である。
【図２】自立させる使い方を示す説明図である。
【図３】差し込んで立てる使い方を示す説明図である。
【符号の説明】
１  パネル部
２  支持部
３  折曲げ領域
４  係止領域
５  切欠
６  折返し領域
７  両面粘着テープ
８  スリット
α  境界線
ａ，ｄ，ｆ  折曲げ線
ｂ，ｃ，ｅ  切断線
【図１】
0004466893.tif 000002
【図２】
0004466893.tif 000003
【図３】
0004466893.tif 000004